(57)【要約】  予め立体的に編成されたインステップカバーと、その編成方法を提供する。  少なくとも前後一対の針床を備える横編機を用いて編成された無縫製の編地であって、シューズを構成するシューズアッパーのうち、着用者の甲側の部分を覆うインステップカバー（１）である。インステップカバー（１）のうち、着用者のアキレス腱から踵に至る領域を覆う部分をヒールカバー部（１０）とし、このヒールカバー部（１０）を除く部分をボディー部（１１）としたとき、ヒールカバー部（１０）とボディー部（１１）との境界線（Ｌ１，Ｌ２）の位置で、ヒールカバー部（１０）の編幅方向の端部近傍の編目とボディー部（１１）のウエール方向の端部の編目とが接続されることで、インステップカバー（１）が立体的に形成されており、インステップカバー（１）の少なくとも一部が、前後の針床を用いて編成された編組織で構成されている。
2015037540.tif 000002
【特許請求の範囲】
【請求項１】
少なくとも前後一対の針床を備える横編機を用いて編成された無縫製の編地であって、シューズを構成するシューズアッパーのうち、着用者の甲側の部分を覆うインステップカバーにおいて、
前記インステップカバーのうち、着用者のアキレス腱から踵に至る領域を覆う部分をヒールカバー部とし、このヒールカバー部を除く部分をボディー部としたとき、
前記ヒールカバー部と前記ボディー部との境界線の位置で、前記ヒールカバー部の編幅方向の端部近傍の編目と前記ボディー部のウエール方向の端部の編目とが接続されることで、前記インステップカバーが立体的に形成されており、
前記インステップカバーの少なくとも一部が、前後の針床を用いて編成された編組織で構成されているインステップカバー。
【請求項２】
前記ヒールカバー部が、インステップカバーの下端側から上端側に向かうに従い徐々に幅が狭くなる形状を備える請求項１に記載のインステップカバー。
【請求項３】
前記ヒールカバー部とボディー部とで構成されるカバー本体のうち、爪先側の下端および踵側の下端の少なくとも一方に繋がり、前記カバー本体の下端側の開口部の内方側に折れ曲がることで、前記カバー本体を着用者の足の形状に沿った立体形状に保つ保形部を備える請求項１または請求項２に記載のインステップカバー。
【請求項４】
前記保形部は、前記ヒールカバー部の下端、およびそのヒールカバー部を挟む位置にある前記ボディー部の下端に繋がる後側保形部であって、前記後側保形部における前記ヒールカバー部および前記ボディー部との接続部分の輪郭線が山型に形成されており、
前記山型の輪郭線の中間部分では、前記後側保形部のウエール方向端部の編目が、前記ヒールカバー部のウエール方向端部に連続し、
前記山型の輪郭線における中間部分を除く両側縁部分では、前記後側保形部のウエール方向端部の編目が、前記ボディー部の編幅方向端部に編成で接続されている請求項３に記載のインステップカバー。
【請求項５】
前記保形部は、前記ボディー部の爪先側の部分の下端に繋がる前側保形部であって、前記前側保形部における前記ボディー部との接続部分の輪郭線が山型に形成されており、
前記山型の輪郭線の中間部分では、前記前側保形部のウエール方向端部の編目が、前記ボディー部のウエール方向端部に連続し、
前記山型の輪郭線における中間部分を除く両側縁部分では、前記前側保形部のウエール方向端部の編目が、前記ボディー部の編幅方向端部に編成で接続されている請求項３に記載のインステップカバー。
【請求項６】
少なくとも前後一対の針床を備える横編機によって、シューズを構成するシューズアッパーのうち、着用者の甲側の部分を覆うインステップカバーを編成するインステップカバーの編成方法において、
前記インステップカバーのうち、着用者のアキレス腱から踵に至る領域を覆う部分をヒールカバー部とし、このヒールカバー部を除く部分をボディー部としたとき、
前記ボディー部をその爪先側から踵側に向かって編成し、前記ボディー部を完成させる工程であって、前記ボディー部の左側部分と右側部分とを前記針床上で左右に並べた状態で編成する工程αと、
前記針床の長手方向における前記左側部分の終端編目列と前記右側部分の終端編目列との間で前記ヒールカバー部の上端となる編出し部を編成する工程βと、
前記編出し部のウエール方向に続いて前記ヒールカバー部となる編目列を編成することと、その編目列の編幅方向の一端側の編目及び他端側の編目をそれぞれ、前記左側部分の終端編目列の編目及び前記右側部分の終端編目列の編目に接続することと、を繰り返し、前記ヒールカバー部を完成させる工程γと、を順次行ない、
前記工程α〜前記工程γの少なくとも一部において、前後の針床を用いて編組織を編成するインステップカバーの編成方法。
【請求項７】
前記工程αの前に、ウエール方向の始端部から終端部に向かって徐々に編幅を拡げた編地であって、前記インステップカバーの爪先側の部分を着用者の爪先の丸みに沿った立体形状に保つ前側保形部を編成する工程α’、および
前記工程γの後に、ウエール方向の始端部から終端部に向かって徐々に編幅を狭くした編地であって、前記インステップカバーの踵側の部分を着用者の踵の丸みに沿った立体形状に保つ後側保形部を編成する工程γ’の少なくとも一方を行い、
前記工程α’を行う場合、前記工程αでは、前記前側保形部のウエール方向終端部のセンター編目列に連続して前記ボディー部を編み出し、前記ボディー部の編成コース数を増す際、前記前側保形部のウエール方向終端部における前記センター編目列を除くサイド編目列に、前記ボディー部の編幅方向端部の編目を形成し、
前記工程γ’を行う場合、前記工程γ’では、前記ヒールカバー部のウエール方向終端部、およびそのウエール方向終端部を挟む位置にある前記ボディー部の編幅方向端部に連続して前記後側保形部を編み出す請求項６に記載のインステップカバーの編成方法。
【請求項８】
少なくとも前後一対の針床を備える横編機によって、シューズを構成するシューズアッパーのうち、着用者の甲側の部分を覆うインステップカバーを編成するインステップカバーの編成方法において、
前記インステップカバーのうち、着用者のアキレス腱から踵に至る領域を覆う部分をヒールカバー部とし、このヒールカバー部を除く部分をボディー部としたとき、
前記ヒールカバー部をその下端側から上端側に向かって徐々に編幅を狭くしながら編成し、前記ヒールカバー部を完成させる工程δと、
前記ヒールカバー部の編幅方向の一端側の縁に続けて前記ボディー部の左側部分を編出すと共に、前記ヒールカバー部の編幅方向の他端側の縁に続けて前記ボディー部の右側部分を編出す工程εと、
前記ボディー部をその踵側から爪先側に向かって編成し、前記ボディー部を完成させる工程であって、前記ボディー部の左側部分と右側部分とを前記針床上で左右に並べた状態で編成する工程ζと、
を順次行ない、
前記工程δ〜前記工程ζの少なくとも一部において、前後の針床を用いて編組織を編成するインステップカバーの編成方法。
【請求項９】
前記工程δの前に、ウエール方向の始端部から終端部に向かって徐々に編幅を拡げた編地であって、前記インステップカバーの踵側の部分を着用者の踵の丸みに沿った立体形状に保つ後側保形部を編成する工程δ’、および
前記工程ζの後に、ウエール方向の始端部から終端部に向かって徐々に編幅を狭くした編地であって、前記インステップカバーの爪先側の部分を着用者の爪先の丸みに沿った立体形状に保つ前側保形部を編成する工程ζ’の少なくとも一方を行い、
前記工程δ’を行う場合、前記工程δでは、前記後側保形部のウエール方向終端部のセンター編目列に連続して前記ヒールカバー部を編み出し、前記工程ζでは、前記ボディー部の編成コース数を増す際、前記後側保形部のウエール方向終端部における前記センター編目列を除くサイド編目列に、前記ボディー部の編幅方向端部の編目を順次形成し、
前記工程ζ’では、前記ボディー部のウエール方向終端部、およびそのウエール方向終端部を挟む位置にある前記ボディー部の編幅方向端部に連続して前記前側保形部を編み出す請求項８に記載のインステップカバーの編成方法。
【発明の詳細な説明】
【技術分野】
【０００１】
本発明は、シューズの一部を構成するインステップカバー、およびその編成方法に関する。
【背景技術】
【０００２】
シューズは、着用者の足裏を覆うソールカバーと、着用者の甲側の部分を覆うインステップカバーと、を有するシューズアッパーを備える。外履きのシューズでは、このシューズアッパーのソールカバーに、合成樹脂などでできたアウターソールが取り付けられる。近年、シューズアッパーを構成するインステップカバーとソールカバーのうち、インステップカバーを一枚の編地で構成し、生産性良くシューズを作製することが試みられている。例えば、特許文献１〜３では、踵の部分が左右に分かれて繋がっていない状態のインステップカバーを一枚の編地で作製し、それをインステップカバーとは別に用意したソールカバーと共に合成樹脂などでできたアウターソールに接合することで、シューズを完成させる技術が開示されている。
【先行技術文献】
【特許文献】
【０００３】
【特許文献１】特表２０１０−５０８９９４号公報
【特許文献２】米国特許出願公開第２０１２／０１５９８１３号明細書
【特許文献３】米国特許出願公開第２０１３／０２１２９０７号明細書
【発明の概要】
【発明が解決しようとする課題】
【０００４】
特許文献１〜３の技術では、インステップカバーの左右に分かれた部分を繋げて立体的な形状にするために、インステップカバーの一部を縫製する必要がある。この縫製作業が煩雑であるため、特許文献１〜３の技術を用いたシューズの製造には、シューズの生産効率（時間、コストなど）が芳しくないという問題があった。【０００５】
上記問題点に対して、予め踵の部分が繋がった立体的に編成されたインステップカバーがあれば、シューズの生産性を向上させることができると考えられる。しかし、そのようなインステップカバー、およびその編成方法は今のところ提案されていない。【０００６】
本発明は上記事情に鑑みてなされたものであり、本発明の目的の一つは、予め立体的に編成されたインステップカバーと、その編成方法を提供することにある。
【課題を解決するための手段】
【０００７】
本発明のインステップカバーは、少なくとも前後一対の針床を備える横編機を用いて編成された無縫製の編地であって、シューズを構成するシューズアッパーのうち、着用者の甲側の部分を覆うインステップカバーに係る。このインステップカバーのうち、着用者のアキレス腱から踵に至る領域を覆う部分をヒールカバー部とし、このヒールカバー部を除く部分をボディー部としたとき、ヒールカバー部とボディー部との境界線の位置で、ヒールカバー部の編幅方向の端部近傍の編目とボディー部のウエール方向の端部の編目とが接続されることで、インステップカバーが立体的に形成されており、インステップカバーの少なくとも一部が、前後の針床を用いて編成された編組織で構成されていることを特徴とする。【０００８】
本発明のインステップカバーとして、ヒールカバー部が、その下端側から上端側に向かうに従い徐々に幅が狭くなる形状を備える形態を挙げることができる。【０００９】
本発明のインステップカバーとして、ヒールカバー部とボディー部とで構成されるカバー本体のうち、爪先側の下端および踵側の下端の少なくとも一方に繋がり、カバー本体の下端側の開口部の内方側に折れ曲がることで、カバー本体を着用者の足の形状に沿った立体形状に保つ保形部を備える形態を挙げることができる。特に、後述する実施形態４に示すように、保形部におけるカバー本体との接続部分の輪郭線のうち、中間部分では、保形部のウエール方向端部の編目がカバー本体のウエール方向端部に連続し、中間部分を除く両側縁部分では、保形部のウエール方向端部の編目がカバー本体の編幅方向に編成で接続されている形態が好ましい。【００１０】
本発明のインステップカバーとして、上記保形部が、ヒールカバー部の下端、およびそのヒールカバー部を挟む位置にあるボディー部の下端に繋がる後側保形部であって、その後側保形部におけるヒールカバー部およびボディー部との接続部分の輪郭線が山型に形成されている形態を挙げることができる。その山型の輪郭線の中間部分では、後側保形部のウエール方向端部の編目が、ヒールカバー部のウエール方向端部に連続し、山型の輪郭線における中間部分を除く両側縁部分では、後側保形部のウエール方向端部の編目が、ボディー部の編幅方向端部に編成で接続されている。山型の輪郭線には、アーチ状の輪郭線や台形状の輪郭線が含まれる。この輪郭線の意義は、次の前側保形部においても同様である。【００１１】
本発明のインステップカバーとして、上記保形部が、ボディー部の爪先側の部分の下端に繋がる前側保形部であって、その前側保形部におけるボディー部との接続部分の輪郭線が山型に形成されている形態を挙げることができる。その山型の輪郭線の中間部分では、前側保形部のウエール方向端部の編目が、ボディー部のウエール方向端部に連続し、山型の輪郭線における中間部分を除く両側縁部分では、前側保形部のウエール方向端部の編目が、ボディー部の編幅方向端部に編成で接続されている。【００１２】
本発明のインステップカバーの編成方法（以下、編成方法Ｉ）は、少なくとも前後一対の針床を備える横編機によって、シューズを構成するシューズアッパーのうち、着用者の甲側の部分を覆うインステップカバーを編成するインステップカバーの編成方法に係る。この本発明の編成方法Ｉでは、インステップカバーのうち、着用者のアキレス腱から踵に至る領域を覆う部分をヒールカバー部とし、このヒールカバー部を除く部分をボディー部としたとき、以下の工程α〜工程γを順次行ない、その工程α〜工程γの少なくとも一部において、前後の針床を用いて編組織を編成することを特徴とする。
［工程α］…ボディー部をその爪先側から踵側に向かって編成し、ボディー部を完成させる工程であって、ボディー部の左側部分と右側部分とを針床上で左右に並べた状態で編成する工程。
［工程β］…針床の長手方向における左側部分の終端編目列と右側部分の終端編目列との間でヒールカバー部の上端となる編出し部を編成する工程。
［工程γ］…編出し部のウエール方向に続いてヒールカバー部となる編目列を編成することと、その編目列の編幅方向の一端側の編目及び他端側の編目をそれぞれ、左側部分の終端編目列の編目及び右側部分の終端編目列の編目に接続することと、を繰り返し、ヒールカバー部を完成させる工程。【００１３】
上記編成方法Ｉとして、下記工程α’および下記工程γ’の少なくとも一方を行う形態を挙げることができる。
［工程α’］…工程αの前に、ウエール方向の始端部から終端部に向かって徐々に編幅を拡げた編地であって、インステップカバーの爪先側の部分を着用者の爪先の丸みに沿った立体形状に保つ前側保形部を編成する工程。この工程α’を行う場合、工程αでは、前側保形部のウエール方向終端部のセンター編目列に連続してボディー部を編み出し、ボディー部の編成コース数を増す際、前側保形部のウエール方向終端部における前記センター編目列を除くサイド編目列に、ボディー部の編幅方向端部の編目を形成する。
［工程γ’］…工程γの後に、ウエール方向の始端部から終端部に向かって徐々に編幅を狭くした編地であって、インステップカバーの踵側の部分を着用者の踵の丸みに沿った立体形状に保つ後側保形部を編成する工程。この工程γ’を行う場合、工程γ’では、ヒールカバー部のウエール方向終端部、およびそのウエール方向終端部を挟む位置にあるボディー部の編幅方向端部に連続して後側保形部を編み出す。【００１４】
本発明のインステップカバーの編成方法（編成方法ＩＩ）は、少なくとも前後一対の針床を備える横編機によって、シューズを構成するシューズアッパーのうち、着用者の甲側の部分を覆うインステップカバーを編成するインステップカバーの編成方法に係る。この本発明の編成方法ＩＩでは、インステップカバーのうち、着用者のアキレス腱から踵に至る領域を覆う部分をヒールカバー部とし、このヒールカバー部を除く部分をボディー部としたとき、以下の工程δ〜工程ζを順次行ない、その工程δ〜工程ζの少なくとも一部において、前後の針床を用いて編組織を編成することを特徴とする。
［工程δ］…ヒールカバー部をその下端側から上端側に向かって徐々に編幅を狭くしながら編成し、ヒールカバー部を完成させる工程。
［工程ε］…ヒールカバー部の編幅方向の一端側の縁に続けてボディー部の左側部分を編出すと共に、ヒールカバー部の編幅方向の他端側の縁に続けてボディー部の右側部分を編出す工程。
［工程ζ］…ボディー部をその踵側から爪先側に向かって編成し、ボディー部を完成させる工程であって、ボディー部の左側部分と右側部分とを針床上で左右に並べた状態で編成する工程。【００１５】
上記編成方法ＩＩとして、下記工程δ’および下記工程ζ’の少なくとも一方を行う形態を挙げることができる。
［工程δ’］…工程δの前に、ウエール方向の始端部から終端部に向かって徐々に編幅を拡げた編地であって、インステップカバーの踵側の部分を着用者の踵の丸みに沿った立体形状に保つ後側保形部を編成する工程。この工程δ’を行う場合、工程δでは、後側保形部のウエール方向終端部のセンター編目列に連続してヒールカバー部を編み出し、工程ζでは、ボディー部の編成コース数を増す際、後側保形部のウエール方向終端部におけるセンター編目列を除くサイド編目列に、ボディー部の編幅方向端部の編目を順次形成する。
［工程ζ’］…工程ζの後に、ウエール方向の始端部から終端部に向かって徐々に編幅を狭くした編地であって、インステップカバーの爪先側の部分を着用者の爪先の丸みに沿った立体形状に保つ前側保形部を編成する工程。この工程ζ’では、ボディー部のウエール方向終端部、およびそのウエール方向終端部を挟む位置にあるボディー部の編幅方向端部に連続して前側保形部を編み出す。
【発明の効果】
【００１６】
本発明のインステップカバーは、立体的な形状に形成された無縫製のインステップカバーとなる。それは、インステップカバーをヒールカバー部とボディー部とに分けて編成し、かつヒールカバー部の編幅方向端部とボディー部のウエール方向端部とを編成で繋げているからである。このような接続状態にあるヒールカバー部とボディー部とは互いに支え合い、インステップカバーの踵側部分を立体的な形状に維持する。立体的な本発明のインステップカバーは、シューズの生産性を向上させる効果を持つ。それは、特許文献１〜３のインステップカバーにおいて必要であった縫製作業が、本発明のインステップカバーには必要がないからである。また、立体的な本発明のインステップカバーは、ソールカバーと組み合わせてシューズとする際、インステップカバーとソールカバーとの位置合わせを容易に行なえることも、シューズの生産性を向上させることができる要因の一つである。【００１７】
また、本発明のインステップカバーは、その少なくとも一部が前後の針床を用いて編成された肉厚の編組織で構成されているため、丈夫である。使用時に負荷がかかるシューズのインステップカバーを肉厚の編組織で構成すれば、形崩れし難く、確りしたシューズを作製することができる。【００１８】
ヒールカバー部を、インステップカバーの下端側から上端側に向かうに従い徐々に幅が狭くなる形状とすることで、インステップカバーの踵側の部分の形状を、着用者の足の形状により近い形状にすることができる。ヒールカバー部の下端側（つまり、底側）の幅が広くなっているため、インステップカバーの踵側の部分に丸みを持たせることができるからである。【００１９】
ヒールカバー部とボディー部とで構成されるカバー本体の爪先側および踵側の少なくとも一方に保形部を形成することで、カバー本体（即ち、インステップカバー）のうち、保形部を設けた部分の形状を立体的な形状にすることができる。特に、上述した編目の繋がりを持つ前側保形部（後側保形部）であれば、カバー本体の爪先側（踵側）の形状を、さらに着用者の足の形状に沿った立体的な形状とすることができる。【００２０】
編成方法Ｉおよび編成方法ＩＩによれば、本発明のインステップカバーを編成することができる。いずれの編成方法においても、ボディー部の左側部分と右側部分とを針床上で左右に並べて編成しているため、前後の針床を用いてボディー部を編成することができる。その結果、ボディー部は、天竺組織などの編組織に比べて肉厚の編組織となる。もちろん、ヒールカバー部も前後の針床を用いて編成することができる。【００２１】
後側保形部あるいは前側保形部を編成する編成方法Ｉおよび編成方法ＩＩによれば、ヒールカバー部のみを備えるインステップカバーよりも、インステップカバーを立体的に形成することができる。
【図面の簡単な説明】
【００２２】
【図１】（Ａ）は、実施形態１に示すインステップカバーの概略上方斜視図、（Ｂ）は、そのインステップカバーの概略下方斜視図である。
【図２】実施形態１に示すインステップカバーの編成手順を示す模式図である。
【図３】前後の針床を用いた編組織の編成工程図である。
【図４】実施形態１に示すインステップカバーの別の編成手順を示す模式図である。
【図５】（Ａ）は、実施形態２に示すインステップカバーの概略上方斜視図、（Ｂ）は、そのインステップカバーの概略下方斜視図である。
【図６】実施形態２に示すインステップカバーの編成手順を示す模式図である。
【図７】（Ａ），（Ｂ）は、実施形態３に示すインステップカバーの編成手順を示す模式図である。
【図８】実施形態４に示すインステップカバーの概略下方斜視図である。
【図９】実施形態４に示すインステップカバーの編成手順を示す模式図である。
【図１０】実施形態４に示すインステップカバーの別の編成手順を示す模式図である。
【発明を実施するための形態】
【００２３】
以下、本発明のインステップカバーとその編成方法の実施形態を図面に基づいて説明する。いずれの実施形態においても、インステップカバーの編成には、少なくとも前後一対の針床を備えた２枚ベッド横編機を用いた。もちろん、４枚ベッド横編機などで本発明のインステップカバーを編成することもできる。
【００２４】
＜実施形態１＞
≪全体構成≫
実施形態１では、図１に示すインステップカバー１を編成する例を説明する。図中の大きなクロスハッチングで示す部分はインステップカバー１の表側（外側）を、小さなクロスハッチングで示す部分はインステップカバー１の裏側（内側）を表している。
【００２５】
インステップカバー１は、シューズにおける着用者の甲側部分を覆う部材であって、横編機を用いて無縫製で編成された部材である。インステップカバー１の少なくとも一部は、熱融着糸を含む融着編糸を用いて編成することが好ましい。このインステップカバー１の上方にはシューズ開口部５が形成されており、このシューズ開口部５は、着用者が足を挿入する履き口５ｉと、履き口５ｉから爪先側に向かって延びるスリット５ｓと、で構成されている。インステップカバー１におけるスリット５ｓの位置には、靴紐を通す鳩目孔（ｅｙｅｌｅｔ  ｈｏｌｅ）６が形成されている。靴紐を用いないシューズであれば、鳩目孔６は必要ない。もちろん、スリット５ｓがないインステップカバー１とすることもできる。
【００２６】
このインステップカバー１の下端側の開口部（図１（Ｂ）参照）に、着用者の足裏部分を覆うソールカバー（図示せず）を組合せ、そのソールカバーの外側に樹脂などでできたアウターソール（図示せず）を取り付けることで、シューズを完成させることができる。
【００２７】
上記インステップカバー１は、ソールカバーやアウターソールを取り付けていない状態であっても立体的に形成されている。特に、インステップカバー１の踵側の部分が立体的に形成されている。それは、後述するインステップカバーの編成方法に示すように、インステップカバー１を、ヒールカバー部１０とボディー部１１とに分けて編成しているからである。以降、ヒールカバー部１０とボディー部１１をまとめてカバー本体１５と表現する場合もある。
【００２８】
≪ヒールカバー部≫
インステップカバー１を構成するヒールカバー部１０は、着用者のアキレス腱から踵に至る領域を覆う部分である。このヒールカバー部１０は、インステップカバー１の上端（即ち、開口部５ｉの側）から下端（シューズのソール側）に至る大きさを有している。このヒールカバー部１０の幅（インステップカバー１の靴幅方向の長さ）は、インステップカバー１の上端から下端にかけて一定であっても良いし、異なっていても良い。本実施形態のヒールカバー部１０は、その下端側から上端側に向かって徐々に幅が狭くなる形状を備えている。逆に、ヒールカバー部１０の上端側から下端側に向かって徐々に幅が狭くなる形状を備えていても構わない。
【００２９】
ヒールカバー部１０を構成する編目は、インステップカバー１の高さ方向における上側または下側に向いている。当該編目が上側を向く編目となるか、下側を向く編目となるかは、後述する編成方法の手順次第である。いずれにせよ、インステップカバー１の高さ方向がヒールカバー部１０のウエール方向となり、インステップカバー１の幅方向がヒールカバー部１０の編幅方向となる。従って、図中のヒールカバー部１０とボディー部１１との境界線Ｌ１，Ｌ２には、ヒールカバー部１０の編幅方向端部の編目が並んでいる。
【００３０】
≪ボディー部≫
ボディー部１１は、インステップカバー１におけるヒールカバー部１０を除く部分である。このボディー部１１を構成する編目は、インステップカバー１の長さ方向における踵側または爪先側に向いている。つまり、インステップカバー１の長さ方向がボディー部１１のウエール方向となり、インステップカバー１の高さ方向がボディー部１１の編幅方向となる。従って、境界線Ｌ１，Ｌ２に、ボディー部１１のウエール方向端部の編目が並んでいる。
【００３１】
ボディー部１１の側縁には、シューズアッパーにおけるソールカバーに相当するものが繋がっていない。つまり、ボディー部１１の左側部分１１Ｌ（右側部分１１Ｒ）のうち、インステップカバー１の下端側（シューズのソール側）は、編成の引き返し端となっている。この点は、後述するいずれの実施形態でも同様である。
【００３２】
≪ヒールカバー部とボディー部との接続≫
編目の方向が異なるヒールカバー部１０とボディー部１１とは、境界線Ｌ１，Ｌ２の位置で接続されている。より具体的には、境界線Ｌ１（Ｌ２）の位置で、ヒールカバー部１０の編幅方向の端部近傍の編目（端部の編目、もしくは端部から１〜２目内側の編目）と、ボディー部１１の左側部分１１Ｌ（右側部分１１Ｒ）のウエール方向端部の編目と、が接続されている。ヒールカバー部１０とボディー部１１とがこのような接続関係で接続されることで、ヒールカバー部１０とボディー部１１とが互いに支え合う状態になる。その結果として、インステップカバー１、特にその踵側の部分が立体形状に保形される。予め立体的に形成されているインステップカバー１であれば、ソールカバーやアウターソールと組み合わせてシューズを作製する際、シューズの生産性を向上させることができる。インステップカバー１には、特許文献１〜３のインステップカバーでは必要であったインステップカバーを立体的に形成するための縫製作業が必要ないからである。
【００３３】
≪インステップカバーの編組織≫
インステップカバー１（ヒールカバー部１０およびボディー部１１）の少なくとも一部、本実施形態ではインステップカバー１全体が、前後の針床を用いて編成された編組織で構成されている。その編組織が前後の針床を用いて編成されたことは、編地の編目の状態や編糸の繋がりを調べれば分かる。このような編組織は、天竺などの編組織よりも厚く、丈夫である。使用時に負荷がかかるシューズのインステップカバー１を肉厚の編組織で構成すれば、形崩れし難く、確りしたインステップカバー１とすることができ、シューズの耐久性を向上させることができる。肉厚の編組織の編成方法については、後述する。
【００３４】
≪インステップカバーの編成方法≫
上記インステップカバー１は、以下に示す編成方法Ｉもしくは編成方法ＩＩによって編成することができる。
・編成方法Ｉ…ボディー部１１を爪先側から踵側に向かって編成し、次いでヒールカバー部１０を上端側から下端側に向かって編成する編成方法。
・編成方法ＩＩ…ヒールカバー部１０を下端側から上端側に向かって編成し、次いでボディー部１１を踵側から爪先側に向かって編成する編成方法。
以下、編成方法Ｉおよび編成方法ＩＩを順次説明する。
【００３５】
［編成方法Ｉ］
編成方法Ｉの説明には図２を用いる。図２は、編成方法Ｉの編成手順を示す模式図である。図２の白抜き矢印は編成の進行方向（ウエール方向に同じ）を示し、各部１０，１１における横線は編幅方向（編目が並ぶ方向）を示す。また、図中で編成の要所となる部分に大文字アルファベットを付している。この白抜き矢印、横線、およびアルファベットの意義は、図４、図６、図７、図９、図１０においても共通である。
【００３６】
編成方法Ｉではまず、ボディー部１１をその爪先側から踵側に向かって編成し、ボディー部１１を完成させる工程αを行なう。その際、ボディー部１１の左側部分１１Ｌと右側部分１１Ｒとを針床上で左右に並べた状態で編成する。ボディー部１１の編成において、部分的に編組織や編糸を変えても良い。
【００３７】
工程αでは、左側部分１１Ｌと右側部分１１Ｒの編幅を適宜増やしたり減らしたりして、両部分１１Ｌ，１１Ｒを着用者の足に沿った形状にする。また、本実施形態では、ボディー部１１の後に編成するヒールカバー部１０の形状を考慮して、ボディー部１１の踵側で両部分１１Ｌ，１１Ｒの編幅を徐々に減らす。そのため、左側部分１１Ｌについては、点Ａ−点Ｂに左側部分１１Ｌのウエール方向終端部の編目が並んだ状態になっており、右側部分１１Ｒについては、点Ｅ−点Ｆに右側部分１１Ｒのウエール方向終端部の編目が並んだ状態となっている。
【００３８】
上記工程αに続いて、針床の長手方向における左側部分１１Ｌの終端編目列（点Ａ−点Ｂ参照）と、右側部分１１Ｒの終端編目列（点Ｅ−点Ｆ参照）と、の間でヒールカバー部１０の上端となる編出し部１０ｓ（点Ｇ−点Ｈ参照）を編成する工程βを行なう。
【００３９】
上記工程βに続いて、編出し部１０ｓのウエール方向に続いてヒールカバー部１０となる編目列を編成することと、その編目列の編幅方向の一端側の編目（点Ｇ−点Ｉの編目）及び他端側の編目（点Ｈ−点Ｊの編目）をそれぞれ、左側部分１１Ｌの終端編目列の編目及び右側部分１１Ｒの終端編目列の編目に接続することと、を繰り返し、ヒールカバー部１０を完成させる工程γを行なう。上記一端側の編目（他端側の編目）とは、編幅方向に並ぶ複数の編目のうち、左側部分１１Ｌ側（右側部分１１Ｒ側）にある編目のことである。ヒールカバー部１０とボディー部１１との接続の際は、ボディー部１１の編目をヒールカバー部１０側に寄せて、両部１０，１１の編目を重ねると良い。重ね目のウエール方向に続いてヒールカバー部１０の編目列を編成すれば、重ね目が固定されて、ヒールカバー部１０とボディー部１１とが接続される。
【００４０】
ヒールカバー部１０は左右対称の形状としても良いし、左右の足の形状に合わせて非対象の形状としても良い。また、ヒールカバー部１０を編成する編糸は、ボディー部１１を編成する編糸と同一であっても良いし、異なっていても良い。
【００４１】
以上説明した手順に従えば、インステップカバー１における境界線Ｌ１，Ｌ２の位置で、ヒールカバー部１０の編幅方向端部と、ボディー部１１のウエール方向端部と、が接続された図１のインステップカバー１を編成することができる。この手順に従って編成されたインステップカバー１のボディー部１１の編目は踵側に向き、ヒールカバー部１０の編目は下側に向く。
【００４２】
ここで、本実施形態では、インステップカバー１全体を肉厚の編組織としている。肉厚の編組織は、前後の針床を用いて編成される。そのような肉厚の編組織の編成方法は、前後の針床を用いて編組織に厚みを持たせる編成方法であれば良く、特に限定されない。例えば、リブ編みや袋編みなどの前後の針床を用いる編成を適宜組み合わせて肉厚の編組織を編成すれば良い。以下に、袋編みを利用した肉厚の編組織の編成例を図３に基づいて説明する。
【００４３】
図３は、肉厚の編組織の編成方法の一例を示す編成工程図である。図３の『Ｓ＋数字』は編成工程の番号を、右欄の黒点は前針床（ＦＢ）と後針床（ＢＢ）の編針を、Ｖマークはタック目を、黒丸は各工程で編成される新規編目、白丸は旧編目を示す。また、図３における編針の位置は小文字アルファベットで特定するものとする。
【００４４】
Ｓ１では、給糸口８を用いて、ＦＢの編針ａ，ｃ，ｅ，ｇ，ｉ，ｋとＢＢの編針ｂ，ｄ，ｆ，ｈ，ｊに交互にタック編成する。Ｓ２では、給糸口９を用いて、Ｓ１で掛け目を形成しなかった編針に交互にタック編成する。Ｓ３では、給糸口８を用いて、ＢＢに係止される全ての編目のウエール方向に連続する編目列を編成する。Ｓ４では、給糸口９を用いて、ＦＢに係止される全ての編目のウエール方向に連続する編目列を編成する。以降は、Ｓ１〜Ｓ４と同様の編成を繰り返す。その結果、Ｓ３とＳ４に示す袋編みで編成された編目列によって肉厚の編組織が形成される。
【００４５】
図３を参照して説明したように、肉厚の編組織の編成に前後の針床を利用できるのは、図２に示すように、左側部分１１Ｌと右側部分１１Ｒとが左右に並んだ状態で編成され、針床の長手方向における左側部分１１Ｌの編成領域と右側部分１１Ｒの編成領域とが重複していないからである。
【００４６】
なお、図３に示す編成方法によって左側部分１１Ｌと右側部分１１Ｒを編成した後、図２に示すようにヒールカバー部１０の編成を開始する場合、各部１１Ｌ，１１ＲのＢＢ側の編目をＦＢ側の編目に重ね合わせ、両部分１１Ｌ，１１Ｒをヒールカバー部１０の側に寄せるための空針をＢＢに形成する（４枚ベッド横編機など、ＦＢとＢＢに空針が無くても目移しを行なえる場合は、この限りではない）。さらに、ボディー部１１とヒールカバー部１０との接合の際に、ヒールカバー部１０の幅を、ボディー部１１のウエール方向端部と重複する幅とすることで、ボディー部１１の編目をヒールカバー部１０の側に寄せる必要がなく、編目が傷むことを回避することができる。
【００４７】
［編成方法ＩＩ］
編成方法Ｉとは逆の順番で編成を行なう編成方法ＩＩの説明には図４を用いる。図４は、編成方法ＩＩの編成手順を示す模式図であって、その見方は図２と同じである。
【００４８】
編成方法ＩＩではまず、ヒールカバー部１０を、インステップカバー１の下端側（紙面下側）から上端側に向かって徐々に編幅を狭くしながら編成し、前記ヒールカバー部１０を完成させる工程δを行なう。具体的には、ヒールカバー部１０の編出し部（点Ａ−点Ｂ参照）を編成し、その編出し部のウエール方向に続く複数の編目列を編成する。その際、編目列の編幅を徐々に狭めていく。その結果得られたヒールカバー部１０の編幅方向の一端側の縁１０ｌ（点Ｂ−点Ｄ参照）に並ぶ編目（Ｖマーク参照）、及び他端側の縁１０ｒ（点Ａ−点Ｃ参照）に並ぶ編目（Ｖマーク参照）は、針床上に係止された状態となる。一方、ヒールカバー部１０のウエール方向終端部（点Ｃ−点Ｄ参照）は、伏目処理などで針床から外された状態となる。
【００４９】
工程δの次に、ヒールカバー部１０の編幅方向の一端側の縁１０ｌに続けてボディー部１１の左側部分１１Ｌを編出すと共に、ヒールカバー部１０の編幅方向の他端側の縁１０ｒに続けてボディー部１１の右側部分１１Ｒを編出す工程εを行なう。これら左側端部１１Ｌと右側部分１１Ｒとは別々の給糸口を利用して編成する。
【００５０】
工程εの後に、ボディー部１１をその踵側から爪先側に向かって編成し、ボディー部１１を完成させる工程であって、ボディー部１１の左側部分１１Ｌと右側部分１１Ｒとを針床上で左右に並べた状態で編成する工程ζを行なう。その際、足の形状に合わせて左側部分１１Ｌと右側部分１１Ｒの編幅を適宜増減する。また、シューズ開口部５のスリット５ｓの先端の位置まで左側部分１１Ｌと右側部分１１Ｒとを編成したら、両部分１１Ｌ，１１Ｒとを一つに纏め、ボディー部１１を爪先まで編成する。ここで、両部１１Ｌ，１１Ｒを編成する際、ヒールカバー部１０の編目を寄せる操作が必要ないため、ヒールカバー部１０の編目が寄せによって損傷することを回避できる。
【００５１】
以上説明した手順に従えば、図１に示す踵側の部分が立体的に形成されたインステップカバー１を編成することができる。このインステップカバー１におけるヒールカバー部１０の編目は上側に向き、ボディー部１１の編目は爪先側に向く。
【００５２】
＜実施形態２＞
実施形態２では、実施形態１の構成に加えて保形部１２を備えるインステップカバー２を図５に基づいて説明する。また、そのインステップカバー２の編成方法を図６に基づいて説明する。
【００５３】
≪インステップカバーの構成≫
図５（Ｂ）に示すように、保形部１２は、ヒールカバー部１０の下端側に繋がり、カバー本体１５の下端側の開口部の内方側に折れ曲がることで、インステップカバー２の踵側の部分を着用者の踵の丸みに沿った立体形状に保つ役割を果たす。保形部１２におけるヒールカバー部１０との接続部分の輪郭線は山型に形成されている。
【００５４】
保形部１２は、ヒールカバー部１０との接続側から離れるに従って徐々に編幅が広がる形状を備えており、ウエール方向に並ぶ編成コースの編目の数の差によってインステップカバー２の踵が立体的になる。つまり、保形部１２における上記輪郭線の中間部分には保形部１２のウエール方向端部の編目が並び、上記輪郭線のうちの中間部分を除く両側縁部分には保形部１２の編幅方向端部の編目が並んでいる。従って、輪郭線の中間部分ではヒールカバー部１０のウエール方向端部の編目と保形部１２のウエール方向端部の編目とが連続しており、両部１０，１２の間に外観上の繋ぎ目がない。一方、輪郭線の両側縁部分ではヒールカバー部１０のウエール方向端部の編目と保形部１２の編幅方向端部の編目とが編成によって接続されており、両部１０，１２との間に繋ぎ目がある。
【００５５】
上述した接続関係にあるヒールカバー部１０と保形部１２とは、ヒールカバー部１０とボディー部１１とが支え合うのと同様に、互いに支え合う。そのため、保形部１２によって、ヒールカバー部１０の下端側の部分が、着用者の踵の丸みに沿った立体形状に保たれる。その結果、本実施形態２のインステップカバー１は、より着用者の足の形状に沿ったインステップカバー２となる。
【００５６】
≪インステップカバーの編成方法≫
上記インステップカバー２は、図６に示す編成手順に従って編成することができる。この図６では、ボディー部１１の爪先側から踵側に向かって編成を行なっており、ボディー部１１とヒールカバー部１０の編成手順は、図２を参照する編成方法Ｉと全く同じである。
【００５７】
本実施形態のインステップカバー２では、ヒールカバー部１０のウエール方向に続いてさらに保形部１２を編成している。より具体的には、ヒールカバー部１０のウエール方向終端部の編目列のうち、中間領域にある一部の編目（点Ｋ−点Ｌを参照）のウエール方向に続いて保形部１２を編出す。そして、保形部１２の編出し部に続いて徐々に編幅を拡げた複数の編目列からなる保形部１２を編成する。その際、ヒールカバー部１０のウエール方向端部の編目（点Ｋ−点Ｉ，点Ｌ−点Ｊ参照）と、保形部１２の編幅方向端部の編目（点Ｋ−点Ｍ，点Ｌ−点Ｎ参照）と、を接続する。
【００５８】
以上説明した手順に従えば、保形部１２の斜部の位置で、ヒールカバー部１０のウエール方向端部と、保形部１２の編幅方向端部と、が接続された図５に示すインステップカバー２を編成することができる。このインステップカバー２は、保形部１２によって、実施形態１の構成よりもさらに着用者の足の形状に沿った立体的な形状に保たれている。また、このインステップカバー２を足型に嵌めて熱処理する場合、保形部１２が足型の踵の位置に引っ掛かるため、足型にインステップカバー２を嵌め易く、また足型に対してインステップカバー２の位置がずれ難い。さらに、上記手順で編成されたインステップカバー２では、インステップカバー２の編終わり部（保形部１２の編終わり部）がソール側に隠れるので、インステップカバー２の見栄えを向上させることができる。
【００５９】
ここで、保形部１２のウエール方向終端部の編幅（点Ｍ−点Ｎの長さ）を、ヒールカバー部１０のウエール方向終端部の編幅（点Ｉ−点Ｊの長さ）よりも長くしても構わない。その場合、保形部１２の編幅方向端部の編目（点Ｋ−点Ｍ，点Ｌ−点Ｎ参照）のうち、ヒールカバー部１０に接続されずに余った編目は、ボディー部１１における点Ａ，Ｆ近傍の編幅方向端部の編目に接続すると良い。そうすることで、カバー本体１５の踵側の形状をより立体的な形状にすることができる。
【００６０】
なお、実施形態２のインステップカバー２は、保形部１２→ヒールカバー部１０→ボディー部１１の順に編成することもできる。
【００６１】
＜実施形態３＞
実施形態３では、保形部の構成が実施形態２とは異なるインステップカバー３，４を図７に基づいて説明する。図７は、インステップカバー３，４の編成手順を示す模式図である。
【００６２】
図７（Ａ）では、実施形態２と同様の手順で保形部１２Ａを形成した後、さらに保形部１２Ａのウエール方向に連続してソール側編地１２０Ａを編成し、インステップカバー３を完成させた。ソール側編地１２０Ａは、着用者の足裏に対応する形状を備えており、ソールカバーの代わりとなる。
【００６３】
一方、図７（Ｂ）では、先端部１３を編成した後、ボディー部１１、ヒールカバー部１０、保形部１２Ｂ、ソール側編地１２０Ｂの順に編成し、インステップカバー４を完成させた。先端部１３と保形部１２Ｂとソール側編地１２０Ｂとを合わせたものがソールカバーとして機能する。先端部１３におけるボディー部１１側の編幅方向の端部を、ボディー部１１に接続しても良い。
【００６４】
その他、図７（Ｂ）に示す先端部１３の形状を細くして、先端部１３をボディー部１１側に折り返したときに、先端部１３がシューズのタン（ｔｏｎｇｕｅ）となるようにしても良い。また、先端部１３のみで保形部を備えない構成などとすることもできる。これらソールカバーやタンなどになる部材は、自由に組み合わせてボディー部１１の爪先側やヒールカバー部１０に設けることができる。さらに、各部を構成する編糸を同一にしても良いし、異ならせても良い。
【００６５】
なお、インステップカバー３，４は、図７（Ａ），（Ｂ）の白抜き矢印とは反対方向に編成することもできる。
【００６６】
＜実施形態４＞
実施形態４では、後側保形部２２および前側保形部３２を備えるインステップカバー７を図８に基づいて説明する（各部２２，３２については、４５°の斜めハッチング部分を参照）。また、そのインステップカバー７の編成方法を図９に基づいて説明する。
【００６７】
≪インステップカバーの構成≫
インステップカバー７のヒールカバー部１０とボディー部１１の構成は、実施形態１や実施形態２と同様の構成を備えるため、その説明は省略する。以降は、後側保形部２２および前側保形部３２の構成を主に説明する。なお、インステップカバー７に、後側保形部２２および前側保形部３２のいずれか一方のみを設けても良い。
【００６８】
［後側保形部］
図８に示すように、後側保形部２２は、ヒールカバー部１０の下端側、およびヒールカバー部１０を挟む位置にあるボディー部１１の下端側に繋がり、カバー本体１５の下端側の開口部の内方側に折れ曲がる編地であって、インステップカバー７の踵側の部分を着用者の踵の丸みに沿った立体形状に保つ役割を果たす。この後側保形部２２におけるヒールカバー部１０およびボディー部１１との接続部分の輪郭線は山型に湾曲している。
【００６９】
上記山型の輪郭線には、後側保形部２２のウエール方向端部の編目が並んでいる。この輪郭線の中間部分（二点鎖線で示す部分）では、ヒールカバー部１０のウエール方向端部の編目と、後側保形部２２のウエール方向端部の編目と、が連続しており、両部１０，２２の間に外観上の繋ぎ目がない。一方、上記輪郭線の中間部分を除く両側縁部分（実線で示す部分）では、後側保形部２２のウエール方向端部の編目と、ボディー部１１（左側部分１１Ｌおよび右側部分１１Ｒ）の編幅方向端部と、が編成で接続されており、両部１１，２２との間に繋ぎ目がある。このような接続状態であれば、後側保形部２２に接続される左側部分１１Ｌと右側部分１１Ｒとが互いに近づく方向に寄せられ、カバー本体１５の踵側の部分が丸みを帯びた立体的な形状に形成される。
【００７０】
一方、後側保形部２２の黒矢印で示すＵ字状部分には、上記輪郭線とは反対側のウエール方向端部の編目が並んでいる。本例では、Ｕ字状部分の編幅は上記輪郭線の編幅よりも狭くなっているため、左側部分１１Ｌと右側部分１１Ｒとが互いに近づく方向に寄せられる。その結果、カバー本体１５の踵側の部分をさらに着用者の踵の形状に沿った立体的な形状にすることができる。Ｕ字状部分の編幅と輪郭線の編幅とを調節することで、シューズアッパー７のサイズを微調整することができる。例えば、Ｕ字状部分の編幅を図示する状態よりも小さくすれば、左側部分１１Ｌと右側部分１１Ｒとがさらに近づく方向に寄せられ、シューズアッパー７のサイズが小さくなる。つまり、カバー本体１５が同じ大きさでも、複数のサイズのシューズアッパー７を作製できる。
【００７１】
［前側保形部］
一方、前側保形部３２は、ボディー部１１の爪先側の部分の下端側に繋がり、カバー本体１５の下端側の開口部の内方側に折れ曲がる編地であって、インステップカバー７の爪先側の部分を着用者の丸みに沿った立体形状に保つ役割を果たす。この前側保形部３２におけるボディー部１１との接続部分の輪郭線は山型に形成されている。
【００７２】
上記山型の輪郭線には、前側保形部３２のウエール方向端部の編目が並んでいる。この輪郭線の中間部分（λで示す位置）では、前側保形部３２のウエール方向端部の編目と、ボディー部１１のウエール方向端部の編目と、が連続しており、両部１１，３２との間に外観上の繋ぎ目がない。一方、上記輪郭線の中間部分を除く両側縁部分（ωで示す位置）では、前側保形部３２のウエール方向端部の編目と、ボディー部１１の編幅方向端部の編目と、が段差の生じる折り返し編成で接続されており、両部１１，３２との間に繋ぎ目がある。このような接続状態であれば、前側保形部３２に接続される左側部分１１Ｌと右側部分１１Ｒとが互いに近づく方向に寄せられ、カバー本体１５の爪先側の部分が丸みを帯びた立体的な形状に形成される。
【００７３】
一方、前側保形部３２の黒矢印で示すＵ字状部分には、上記輪郭線とは反対側のウエール方向端部の編目が並んでいる。Ｕ字状部分は、後側保形部３２のＵ字状部分と同様の働きをする。
【００７４】
［その他］
さらに、本例のインステップカバー７は、ボディー部１１の側縁に形成され、ソール側に張り出す張出部４０Ｒ，４０Ｌを備える（１３５°の斜めハッチング部分を参照）。張出部４０Ｒ，４０Ｌは、インステップカバー７と、図示しないソールカバーと、の位置合わせ及び接続を容易にする役割を持つ。張出部４０Ｒ，４０Ｌは、後述するようにボディー部１１と一体に編成されるので、二点鎖線で示すボディー部１１と張出部４０Ｒ，４０Ｌとの境界には繋ぎ目はないが、当該境界にはインステップカバー７を足型に嵌めて熱処理する際に折り目を形成する。
【００７５】
≪インステップカバーの編成方法Ｉ≫
上記インステップカバー７は、図９に示す編成手順に従って編成することができる。この図９では、ボディー部１１の爪先側から踵側に向かって編成を行なっている。
【００７６】
本実施形態のインステップカバー７では、まず袋編みなどによって編出し部（点Ａ−点Ｂを参照）を編成し、その編出し部に続いて複数段の袋編みを行った後、徐々に編幅を拡げて前側保形部３２を完成させる（工程α’相当）。前側保形部３２のウエール方向終端部（点Ｃ−点Ｄ）は、針床に係止された状態としておく。前側保形部３２は、図３に示すように前後の針床を用いて肉厚に編成することが好ましい。なお、袋編みとは、前後の針床を使って袋状に編地を編成することである。また袋編みを必ず行わなければならないわけではない。
【００７７】
次いで、ボディー部１１の編成を行う（工程α相当）。具体的には、前側保形部３２のウエール方向終端部のセンター編目列３２ｃに続いてボディー部１１を編出す。そして、ボディー部１１の編成コース数を増す際、前側保形部３２のウエール方向終端部のサイド編目列３２ｓｒ，３２ｓｌに、ボディー部１１の編幅方向端部１１ｘｒ，１１ｘｌの編目を形成し、サイド編目列３２ｓｒ，３２ｓｌと編幅方向端部１１ｘｒ，１１ｘｌとを接続する。
【００７８】
本例のボディー部１１の編成では、ボディー部１１の両側縁に張出部４０Ｒ，４０Ｌを編成する。張出部４０Ｒ，４０Ｌは、ボディー部１１の編幅を増減させる際に、ボディー部１１に求められる幅よりも大きな幅で編地を編成する。このボディー部１１の編成が終了した時点で、点Ｅ−点Ｇには左側部分１１Ｌの編幅方向端部の編目が並んだ状態となっており、点Ｊ−点Ｈには右側部分１１Ｒの編幅方向端部の編目が並んだ状態になっている。これらの編目は、ウエール方向端部の編目でもあり、針床に係止された状態にある。
【００７９】
次に、点Ｇ−点Ｈを編出し部とするヒールカバー部１０を編成し、そのヒールカバー部１０をボディー部１１に接続する（工程β相当）。接続方法は、実施形態１で既に説明した通りである。このヒールカバー部１０を含むカバー本体１５の編組織は特に限定されない。
【００８０】
最後に、後側保形部２２を編成する（工程γ’相当）。具体的には、ヒールカバー部１０のウエール方向終端部１０ｅ、およびそのウエール方向終端部１０ｅを挟む位置にあるボディー部１１の編幅方向端部１１ｙｒ，１１ｙｌに連続して後側保形部２２を編み出す。そして、後側保形部２２の編幅を徐々に狭め、最後に袋編みを複数段編成し、インステップカバー７を完成させる。
【００８１】
以上説明した手順に従えば、図８に示す立体的なインステップカバー７を編成することができる。
【００８２】
≪インステップカバーの編成方法ＩＩ≫
インステップカバー７は、踵側から爪先側に向かってに編成することもできる。以下、図１０を参照してその編成方法を説明する。
【００８３】
ヒールカバー部１０の編成、およびボディー部１１の編成手順は、図４を参照する実施形態１の編成方法ＩＩとほぼ同様である。但し、ボディー部１１の爪先側の一部の編目（点Ｅ−点Ｈ参照）を針床に係止させたままとしておく。点Ｅ−点Ｆの編目は、右側部分１１Ｒの編幅方向端部１１ｚｒの編目であり、点Ｈ−点Ｇの編目は、左側部分１１Ｌの編幅方向端部１１ｚｌの編目である。これらの編目は、ボディー部１１のウエール方向端部の編目でもある。
【００８４】
前側保形部３２を編成する（工程ζ’相当）。具体的には、ボディー部１１のウエール方向終端部１１ｅ（点Ｆ−点Ｇ参照）、およびそのウエール方向終端部１１ｅを挟む位置にあるボディー部１１の編幅方向端部１１ｚｒ，１１ｚｌに連続して前側保形部３２を編み出す。そして、前側保形部３２の編幅を徐々に狭め、最後に袋編みを複数段編成し、インステップカバー７を完成させる。
【００８５】
その他、一点鎖線で示すようにヒールカバー部１０を編成する前に、後側保形部２２を編成しても構わない（工程δ’相当）。その場合、後側保形部２２のウエール方向終端部のセンター編目列に連続してヒールカバー部１０を編み出す（工程δ相当）また、ヒールカバー部１０を完成させ、ヒールカバー部１０の縁１０ｒ，１０ｌに続けてボディー部１１を編出し（工程ε相当）、その後、ボディー部１１の編成コース数を増す際、後側保形部２２のウエール方向終端部における前記センター編目列を除くサイド編目列に、ボディー部１１の編幅方向端部の編目を順次形成する（工程ζ相当）。
【符号の説明】
【００８６】
１，２，３，４，７  インステップカバー
１５  カバー本体
１０  ヒールカバー部
１０ｅ  ウエール方向端部
１０ｓ  編出し部  １０ｌ  一端側の縁  １０ｒ  他端側の縁
１１  ボディー部
１１ｅ  ウエール方向終端部
１１ｘｒ，１１ｘｌ，１１ｙｒ，１１ｙｌ  編幅方向端部
１１ｚｒ，１１ｚｌ  編幅方向端部
１１Ｌ  左側部分  １１Ｒ  右側部分
１２，１２Ａ，１２Ｂ  保形部
１２０Ａ，１２０Ｂ  ソール側編地
１３  先端部
２２  後側保形部
３２  前側保形部  ３２ｃ  センター編目列
３２ｓｒ，３２ｓｌ  サイド編目列
４０Ｒ，４０Ｌ  張出部
Ｌ１，Ｌ２  境界線
５  シューズ開口部    ５ｉ  履き口  ５ｓ  スリット
６  鳩目孔
８，９  給糸口
【図１】
2015037540.tif 000003
【図２】
2015037540.tif 000004
【図３】
2015037540.tif 000005
【図４】
2015037540.tif 000006
【図５】
2015037540.tif 000007
【図６】
2015037540.tif 000008
【図７】
2015037540.tif 000009
【図８】
2015037540.tif 000010
【図９】
2015037540.tif 000011
【図１０】
2015037540.tif 000012
【国際調査報告】
2015037540.tif 000013
2015037540.tif 000014
2015037540.tif 000015
2015037540.tif 000016